(57)【要約】【課題】電子機器における電力の浪費を防止して省電力化を実現する。【解決手段】オーディオ装置１において、電源がＯＦＦの状態において、ＶＢｕｓから供給された電力によってオーディオマイコン２１が起動される。次いで、切替手段２９がＯＦＦからＯＮに切り替えられ、ＡＣアダプタ２からＵＳＢバス１１及びＵＳＢ  Ｉ／Ｆ１３に電力が供給され、これらの構成部が起動される。また、ＵＳＢ  Ｉ／Ｆ１３によりパソコン３から受信したデータからＳＯＦが検出された場合に、切替手段３０がＯＦＦからＯＮに切り替えられ、ＡＣアダプタ２からＵＳＢバス１１及びＵＳＢ  Ｉ／Ｆ１３以外の構成部に電力が供給され、オーディオ装置１全体に電力が供給される。そして、ＶＢｕｓからの電力供給が終了した際に、切替手段２９及び切替手段３０がＯＮからＯＦＦに切り替えられ、オーディオ装置１全体に供給されていた電力が遮断される。【選択図】          図１
2004234334.tif 000002
【特許請求の範囲】
【請求項１】
所定のインターフェイスを介して外部のコントロール機器と接離自在に接続され、前記コントロール機器からのデータ入力の有無を監視するインターフェイス制御手段と、前記コントロール機器から入力されたデータを処理するデータ処理手段と、外部電源からの電力供給のＯＮ／ＯＦＦを切り替える切替手段と、前記インターフェイス制御手段、前記データ処理手段、及び前記切替手段を制御する機器制御手段とを有する電子機器であって、
前記機器制御手段は、前記コントロール機器から供給される電力により起動し、前記切替手段を制御して前記外部電源からの電力を前記インターフェイス制御手段に供給することにより当該インターフェイス制御手段を起動し、前記コントロール機器から入力されたデータに基づいて当該インターフェイス制御手段から所定データ信号が入力された場合に、前記切替手段を制御して前記外部電源からの電力を前記データ処理手段に供給することにより当該データ処理手段を起動することを特徴とする電子機器。
【請求項２】
前記機器制御手段は、前記コントロール機器からの電力供給を検出しない場合に、前記切替手段を制御して前記外部電源による前記インターフェイス制御手段及び前記データ処理手段への電力供給を遮断することを特徴とする請求項１に記載の電子機器。
【請求項３】
前記インターフェイスはＵＳＢインターフェイスであり、前記インターフェイス制御手段は、前記コントロール機器からＳＯＦ（Ｓｔａｒｔ    Ｏｆ    Ｆｒａｍｅ）を取得した場合に前記機器制御手段に前記所定データ信号を送出することを特徴とする請求項１又は２に記載の電子機器。
【請求項４】
所定のインターフェイスを介して外部のコントロール機器と接離自在に接続され、前記コントロール機器からのデータ入力の有無を監視するインターフェイス制御手段と、前記コントロール機器から入力されたデータを処理するデータ処理手段と、外部電源からの電力供給のＯＮ／ＯＦＦを切り替える切替手段と、前記インターフェイス制御手段、前記データ処理手段、及び前記切替手段を制御する機器制御手段とを有する電子機器の電源制御方法であって、
前記コントロール機器から供給される電力により前記機器制御手段を起動する工程と、
前記機器制御手段によって、前記切替手段を制御して前記外部電源からの電力を前記インターフェイス制御手段に供給することにより当該インターフェイス制御手段を起動する工程と、
前記コントロール機器から前記データが入力されたことが検出された場合に、前記インターフェイス制御手段によって前記機器制御手段に所定データ信号を送出する工程と、
前記インターフェイス制御手段から前記機器制御手段に前記所定データ信号が送出された場合に、前記切替手段を制御して、前記外部電源からの電力を前記データ処理手段に供給することにより当該データ処理手段を起動する工程と、
を含むことを特徴とする電源制御方法。
【発明の詳細な説明】
【０００１】
【発明の属する技術分野】
本発明は、例えばオーディオ装置等の電子機器及びその電源制御方法に関する。
【０００２】
【従来の技術】
パーソナルコンピュータ（以下、「パソコン」という。）等のコントロール機器とプリンタやモデム等の電子機器とを接続するインターフェイスの規格として、ＵＳＢ（Ｕｎｉｖｅｒｓａｌ  Ｓｅｒｉａｌ  Ｂｕｓ）が知られている。このＵＳＢは、一般的にパソコンに導入されているＯＳ（Ｏｐｅｒａｔｉｎｇ  Ｓｙｓｔｅｍ）にてサポートされており、パソコンの電源を投入した状態で電子機器を接続できるホット・プラグ・インや、電子機器を使用するための設定を自動的に実行可能なプラグ・アンド・プレイ等を特徴としている。
【０００３】
従来、電子機器の中には、コントロール機器と接続された状態において、パソコンの電源と連動してその電源のＯＮ／ＯＦＦ制御を行う装置が存在する。例えば、ＵＳＢケーブルに内蔵されたＶＢｕｓ（電源ライン）の電力を検出した場合に電源を投入する周辺機器が公知である（例えば、特許文献１）。この発明は、コントロール機器からデータが送られてくる可能性がない場合に電源の投入を行わないように制御することにより、消費電力を低減している。
【０００４】
【特許文献１】
特開２００２−１０８５１８号公報
【０００５】
【発明が解決しようとする課題】
しかしながら、上記の特許文献１のようにＶＢｕｓの電力に基づいて電源の制御を行う従来の電子機器は、ＶＢｕｓの電力が入力されている場合には電源が投入され、実際にコントロール機器からデータの送信がない場合にも電源がＯＮとなるため、このような場合には無駄な電力が消費されていた。特に、コントロール機器の中には電源が投入されていない場合（スタンバイ時）において、ＶＢｕｓの電力を出力する機器があり、このような電子機器とＵＳＢにより接続された電子機器は、コントロール機器からデータが送信されていないにも関らず常に電源が投入された状態が維持され、電力の浪費が著しかった。
【０００６】
そこで、本発明の課題は、電力の浪費を防止して省電力化を実現する電子機器及びその電源制御方法を提供することである。
【０００７】
【課題を解決するための手段】
請求項１に記載の発明は、
所定のインターフェイスを介して外部のコントロール機器と接離自在に接続され、前記コントロール機器からのデータ入力の有無を監視するインターフェイス制御手段と、前記コントロール機器から入力されたデータを処理するデータ処理手段と、外部電源からの電力供給のＯＮ／ＯＦＦを切り替える切替手段と、前記インターフェイス制御手段、前記データ処理手段、及び前記切替手段を制御する機器制御手段とを有する電子機器であって、
前記機器制御手段は、前記コントロール機器から供給される電力により起動し、前記切替手段を制御して前記外部電源からの電力を前記インターフェイス制御手段に供給することにより当該インターフェイス制御手段を起動し、前記コントロール機器から入力されたデータに基づいて当該インターフェイス制御手段から所定データ信号が入力された場合に、前記切替手段を制御して前記外部電源からの電力を前記データ処理手段に供給することにより当該データ処理手段を起動することを特徴としている。
【０００８】
請求項２に記載の発明は、請求項１記載の発明において、
前記機器制御手段は、前記コントロール機器からの電力供給を検出しない場合に、前記切替手段を制御して前記外部電源による前記インターフェイス制御手段及び前記データ処理手段への電力供給を遮断することを特徴としている。
【０００９】
請求項３に記載の発明は、請求項１又は２に記載の発明において、
前記インターフェイスはＵＳＢインターフェイスであり、前記インターフェイス制御手段は、前記コントロール機器からＳＯＦ（Ｓｔａｒｔ    Ｏｆ    Ｆｒａｍｅ）を取得した場合に前記機器制御手段に前記所定データ信号を送出することを特徴としている。
【００１０】
請求項４に記載の発明は、
所定のインターフェイスを介して外部のコントロール機器と接離自在に接続され、前記コントロール機器からのデータ入力の有無を監視するインターフェイス制御手段と、前記コントロール機器から入力されたデータを処理するデータ処理手段と、外部電源からの電力供給のＯＮ／ＯＦＦを切り替える切替手段と、前記インターフェイス制御手段、前記データ処理手段、及び前記切替手段を制御する機器制御手段とを有する電子機器の電源制御方法であって、
前記コントロール機器から供給される電力により前記機器制御手段を起動する工程と、
前記機器制御手段によって、前記切替手段を制御して前記外部電源からの電力を前記インターフェイス制御手段に供給することにより当該インターフェイス制御手段を起動する工程と、
前記コントロール機器から前記データが入力されたことが検出された場合に、前記インターフェイス制御手段によって前記機器制御手段に所定データ信号を送出する工程と、
前記インターフェイス制御手段から前記機器制御手段に前記所定データ信号が送出された場合に、前記切替手段を制御して、前記外部電源からの電力を前記データ処理手段に供給することにより当該データ処理手段を起動する工程と、
を含むことを特徴としている。
【００１１】
【発明の実施の形態】
以下、図面を参照して、本発明を適用したオーディオシステム１００の一実施の形態について詳細に説明する。
【００１２】
まず、構成を説明する。
図１に、本発明を適用したオーディオシステム１００の機能的構成を示す。図１に示すように、オーディオシステム１００は、オーディオ装置１、ＡＣアダプタ２、及びパソコン３により構成される。ＡＣアダプタ２は、オーディオ装置１に電源ケーブルＥを介して接続されてオーディオ装置１に電力を供給する外部電源である。パソコン３は、ＵＳＢケーブルＣを介してオーディオ装置１に接続されたコントロール機器であり、オーディオ装置１に各種制御信号を送信して音声の出力処理等を実行させる。
【００１３】
ＵＳＢケーブルＣは、ＵＳＢ規格に従って、信号伝送用の２本の通信ライン（Ｄ＋，Ｄ−）と、電源供給用のＶＢｕｓ（電源ライン）及びＧＮＤ（グラウンド）の４本のラインで構成される。また、ＵＳＢケーブルＣは、オーディオ装置１内部でＣａ及びＣｂの２ラインに分岐している。Ｃａは２本の通信ラインを含み、ＵＳＢハブ１１に接続される。一方、ＣｂはＶＢｕｓ及びＧＮＤのラインを含み、オーディオマイコン２１に接続される。
【００１４】
ここで、図２を参照して、ＵＳＢにより転送されるデータ構成について説明する。ＵＳＢにおいては１ｍｓ単位でデータが管理され、この１ｍｓ毎のデータをフレームという。フレームは複数のパケットからなり、各フレームの１番目にＳＯＦ（Ｓｔａｒｔ  Ｏｆ  Ｆｒａｍｅ）と呼ばれるパケットが配置され、その後に実データが続いて配置される。本実施の形態のオーディオ装置１は、ＳＯＦを検出した場合に処理対象のデータをパソコン３から受信したと認識する。
【００１５】
以下、図１に戻り、オーディオ装置１の各構成部について説明する。
オーディオ装置１は、ＵＳＢインターフェイスを備えた電子機器であり、図示するように、ＵＳＢハブ１１、ＵＳＢ  Ｉ／Ｆ（ブリッジ）１２、ＵＳＢ  Ｉ／Ｆ（コントロール）１３、ＭＤ制御モジュール１４、ＵＳＢオーディオ１５、セレクタ１６、アンプ１７、スピーカ１８、内部バス１９、操作部２０、オーディオマイコン２１、表示部２２、処理制御部２３、マルチデコードＤＳＰ（Ｄｉｇｉｔａｌ  Ｓｉｇｎａｌ  Ｐｒｏｃｅｓｓｏｒ）２４、ＲＡＭ（Ｒａｎｄｏｍ  Ａｃｃｅｓｓ  Ｍｅｍｏｒｙ）２５、ＲＯＭ（Ｒｅａｄ  Ｏｎｌｙ  Ｍｅｍｏｒｙ）２６、ドライブコントローラ２７、ＣＤドライブユニット２８、切替手段２９、切替手段３０の各部により構成される。
【００１６】
ＵＳＢハブ１１は、ＵＳＢ規格に従った通信データの分岐及び収集を行う。具体的に、ＵＳＢハブ１１は、ＵＳＢ  Ｉ／Ｆ１２，１３とパソコン３との間における転送楽曲データ等の通信を中継し、更に、ＵＳＢオーディオ１５とパソコン３の間におけるＵＳＢ音声信号等の通信を中継する。
【００１７】
ＵＳＢ  Ｉ／Ｆ１２，１３は、各々ＵＳＢ規格に従った通信機能を有するＩＣであり、制御データ（フレームデータ）等をＵＳＢハブ１１を介してパソコン３との間で送受信する。
【００１８】
ＵＳＢ  Ｉ／Ｆ（ブリッジ）１２は、ＵＳＢハブ１１と内部バス１９とを接続するブリッジであり、内部バス１９に接続された各モジュール（処理制御部２３〜ドライブコントローラ２７）の通信を中継する。
【００１９】
ＵＳＢ  Ｉ／Ｆ（コントロール）１３は、オーディオマイコン２１から供給される制御データ（指示情報等）を、ＵＳＢハブ１１を介してパソコン３に向けて送信する。また、ＵＳＢ  Ｉ／Ｆ１３は、ＵＳＢハブ１１を介してパソコン３から送られる制御データ（動作指令情報）を受信し、受信した制御データをオーディオマイコン２１に供給する。
【００２０】
また、ＵＳＢ  Ｉ／Ｆ（コントロール）１３は、ＵＳＢケーブルＣ（Ｃｂ）を介してパソコン３から送られてきたデータにＳＯＦが含まれるか否かを判別し、ＳＯＦが含まれる場合に、オーディオマイコン２１にＳＯＦを取得したことを通知するための所定データ信号を送出する。
【００２１】
図１に戻り、ＭＤ制御モジュール１４は、例えば、ＮｅｔＭＤ（登録商標）規格に準拠したモジュールであり、パソコン３から送られる暗号化された楽曲データ（例えば、ＰＣＭデータ。）等を受信し、復号して、ＭＤに記録する。その際、ＭＤ制御モジュール１４は、著作権保護のためのコンテンツハッシュ（楽曲データから一意に求められた特定情報）をパソコン３に送信する。また、ＭＤ制御モジュール１４は、楽曲データを記録したＭＤを再生し、デコードにより得られた音声信号Ａ１を、セレクタ１６を介してアンプ１７等に順次供給する。
【００２２】
ＵＳＢオーディオ１５は、例えば、ＵＳＢ規格に従った通信機能をあわせ持つＣＯＤＥＣ（Ｃｏｄｅｒ／ＤＥＣｏｄｅｒ）用ＩＣ等からなり、ＵＳＢハブ１１を介してパソコン３から供給されたＵＳＢ音声信号（アイソクロナス転送のフレーム等）を順次取得する。そして、取得したＵＳＢ音声信号をデコードして得られた音声信号Ａ２を、セレクタ１６を介してアンプ１７等に順次供給する。
【００２３】
セレクタ１６は、例えば、３入力１出力のセレクタ回路等からなり、ＭＤ制御モジュール１４、ＵＳＢオーディオ１５、及びマルチデコードＤＳＰ２４から供給される音声信号Ａ１〜Ａ３を各々入力し、オーディオマイコン２１から供給される切替信号等に従って、何れか１つの音声信号を選択する。セレクタ１６は、選択した音声信号を、アンプ１７を介してスピーカ１８等に出力する。
【００２４】
アンプ１７は、増幅回路等からなり、セレクタ１６により選択され出力された音声信号を適宜増幅して、スピーカ１８に供給する。
【００２５】
スピーカ１８は、アンプ１７により増幅された音声信号を入力し、入力した音声信号に従って所定の楽曲等を発音する。
【００２６】
内部バス１９は、処理制御部２３と、マルチデコードＤＳＰ２４と、ＲＯＭ２６と、ＲＡＭ２５と、ドライブコントローラ２７とを共通路にて接続するバスである。主に、処理制御部２３と、マルチデコードＤＳＰ２４〜ドライブコントローラ２７との間で必要な情報（信号）を伝送する。
【００２７】
操作部２０は、例えば、オーディオ装置１の前面に配置された複数のキースイッチ群からなり、利用者の操作（押下等）に従った指示情報をオーディオマイコン２１に供給する。
【００２８】
オーディオマイコン２１は、例えば１チップマイコンからなり、図示しない演算装置や記憶装置等を備える。オーディオマイコン２１は、その記憶装置内にオーディオ装置１を制御するための各種プログラムを内蔵しており、この各種プログラムと演算装置との協働によりオーディオ装置１の各部を制御する。上記各種プログラムには、後述する電源制御処理を実行するための電源制御処理プログラムが含まれる。
【００２９】
オーディオマイコン２１は、オーディオ装置１の電源がＯＦＦの状態において、ＵＳＢケーブルＣ（Ｃａ）のＶＢｕｓにより供給される電力により起動する。その際、切替手段２９を制御して、ＡＣアダプタ２からの電力をＵＳＢハブ１１及びＵＳＢＩ／Ｆ１３に供給し、これらの構成部を起動する。また、パソコン３を介して入力されたデータに含まれるＳＯＦに基づきＵＳＢＩ／Ｆ１３から送出される所定データ信号を受信した場合、切替手段３０を制御して、ＵＳＢハブ１１及びＵＳＢ  Ｉ／Ｆ１３以外の各構成部、すなわちパソコン３から送られたデータを処理する各構成部にＡＣアダプタ２からの電力を供給する。更に、ＶＢｕｓによる電力供給がないことを検出した際に、切替手段２９，３０を制御してオーディオ装置１の各部への電力供給を中止する。
【００３０】
また、オーディオマイコン２１は、ＵＳＢ  Ｉ／Ｆ１３、セレクタ１６、ＭＤ制御モジュール１４、処理制御部２３、切替手段２９、切替手段３０、等を制御する。
具体的には、操作部２０から供給される指示情報や、パソコン３からＵＳＢ  Ｉ／Ｆ１３を介して送られる制御データに従って、処理制御部２３を制御し、ドライブコントローラ２７を通じて、ＣＤドライブユニット２８にＣＤを再生させる等の処理を行う。その際、オーディオマイコン２１と処理制御部２３との間では、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）通信にて、マクロコマンド（例えば、ＰＬＡＹやＳＴＯＰ等）が送受信される。この他に、オーディオマイコン２１は、指示情報や制御データに従ってＭＤ制御モジュール１４を制御して、ＭＤの楽曲データを再生や記録等を行う。その際、オーディオマイコン２１とＭＤ制御モジュールの間でも、ＵＡＲＴ通信にてマクロコマンドが送受信される。
【００３１】
表示部２２は、液晶表示パネル等からなり、オーディイオマイコン２１から供給される表示用データに従って、オーディオ装置１の動作状況やパソコン３との接続状態等を示す情報を表示する。
【００３２】
処理制御部２３は、ＣＰＵ（Ｃｅｎｔｒａｌ  Ｐｒｏｃｅｓｓｉｎｇ  Ｕｎｉｔ）等からなり、例えば、ＲＯＭ２６に記憶されたプログラム（ＲＡＭ２５にロードされたプログラム）に従って、マルチデコードＤＳＰ２４やドライブコントローラ２７等を制御する。
例えば、処理制御部２３は、ドライブコントローラ２７を通じて、ＣＤドライブユニット２８に装填されたＣＤから所定の音楽フォーマットの楽曲データを読み出し、読み出した楽曲データをマルチデコードＤＳＰ２４に転送することにより楽曲データを再生する。
【００３３】
マルチデコードＤＳＰ２４は、例えば、ＣＤ−ＤＡ（ＣＤ  Ｄｉｇｉｔａｌ  Ａｕｄｉｏ）やＭＰ３（ＭＰＥＧ１  Ａｕｄｉｏ  Ｌａｙｅｒ−３）やＷＭＡ（Ｗｉｎｄｏｗｓ（Ｒ）  Ｍｅｄｉａ  Ａｕｄｉｏ）等の複数の音楽フォーマット（エンコード方式や圧縮方式）に対応し、ＣＤから読み出された楽曲データを適宜デコードし、音声信号Ａ３を生成する。さらに、マルチデコードＤＳＰ２４は、生成した音声信号Ａ３をセレクタ１６に供給する。
【００３４】
ＲＯＭ２６は、例えば書換え可能な読出し専用メモリであるフラッシュＲＯＭからなり、処理制御部２３が実行するプログラム等を記憶している。
【００３５】
ＲＡＭ２５は、例えば、バスクロックに同期して動作するＳＤＲＡＭ（Ｓｙｎｃｈｒｏｎｏｕｓ  Ｄｙｎａｍｉｃ  ＲＡＭ）等からなり、ＲＯＭ２６内に記憶されたプログラムをロードする。また、ＲＡＭ２５は、制御処理部２３がプログラムを実行する際に必要となるワークデータ等を記憶する。
【００３６】
ドライブコントローラ２７は、例えば、ＡＴＡＰＩ（ＡＴ  Ａｔｔａｃｈｍｅｎｔ  Ｐａｃｋｅｔ  Ｉｎｔｅｒｆａｃｅ）規格のコントローラ等からなり、ＣＤドライブユニット２８を制御する。すなわち、ドライブコントローラ２７は、ＣＤドライブユニット２８に装填されたＣＤから楽曲データを読み出し、読み出した楽曲データをマルチデコードＤＳＰ２４に供給する。
【００３７】
ＣＤドライブユニット２８は、例えば、ＡＴＡＰＩ規格のＣＤドライブ装置からなり、ドライブコントローラ２７に制御され、装填されたＣＤ等を再生する。
なお、ＣＤドライブユニット２８は、市販された音楽ＣＤだけでなく、ＣＤ−Ｒ（ＣＤ  Ｒｅｃｏｒｄａｂｌｅ）やＣＤ−ＲＷ（ＣＤ  ＲｅＷｒｉｔａｂｌｅ）等も再生可能である。そして、ＣＤ−Ｒ等に記録されたＭＰ３やＷＭＡ等の音楽フォーマットの楽曲データを読み出し、ドライブコントローラ２７等を介して、マルチデコードＤＳＰ２４に供給する。
【００３８】
切替手段２９は、ＡＣアダプタ２からオーディオ装置１に供給される電力のＯＮ／ＯＦＦを切り替えるスイッチ等からなり、オーディオマイコン２１から入力される指示に従い、ＵＳＢハブ１１及びＵＳＢ  Ｉ／Ｆ１３への電力供給又は電力の遮断を行う。
【００３９】
切替手段３０は、ＡＣアダプタ２からオーディオ装置１に供給される電力のＯＮ／ＯＦＦを切り替えるスイッチ等からなり、オーディオマイコン２１から入力される指示に従い、ＵＳＢハブ１１及びＵＳＢ  Ｉ／Ｆ１３以外の構成部への電力供給又は電力の遮断を行う。
【００４０】
次に、動作を説明する。
なお、図３のフローチャートに記述されている各機能を実現するためのプログラムは、読み取り可能なプログラムコードの形態でオーディオマイコン２１内に格納されており、オーディオマイコン２１は、このプログラムコードに従った動作を逐次実行する。なお、オーディオシステム１００に外部機器と接続するためのインターフェイスを設けることにより、外部機器から供給されるプログラムやデータを利用してオーディオシステム１００特有の動作を実行することとしてもよい。
【００４１】
図３に示す電源制御処理において、まず、オーディオマイコン２１にＶＢｕｓから電力が供給されているか否かが判別される（ステップＳ１）。ＶＢｕｓからの電力供給が検出された場合は（ステップＳ１；ＹＥＳ）、ステップＳ２に移行し、電力の入力が検出されない場合には（ステップＳ１；ＮＯ）、電源制御処理が終了する。
【００４２】
次いで、切替手段２９がＯＦＦからＯＮに制御されて、ＵＳＢバス１１及びＵＳＢ  Ｉ／Ｆ１３に電力が供給され、これらの機能部が起動される（ステップＳ２）。続いて、ＵＳＢ  Ｉ／Ｆ１３からオーディオマイコン２１に所定データ信号が入力されることにより、パソコン３からオーディオ装置１にＳＯＦが送信されているか否かが判別される（ステップＳ４）。ＳＯＦが受信された場合（ステップＳ４；ＹＥＳ）、ステップＳ５に移行し、ＳＯＦが受信されない場合には（ステップＳ４；ＮＯ）、ステップＳ１に戻る。
【００４３】
次に、切替手段３０がＯＦＦからＯＮに制御されて、オーディオ装置１のＵＳＢバス１１及びＵＳＢ  Ｉ／Ｆ１３以外の構成部に電力が供給され、各構成部が起動される（ステップＳ５）。次いで、オーディオマイコン２１にＶＢｕｓから電力が供給されているか否かが判別される（ステップＳ６）。ＶＢｕｓからの電力供給が検出された場合は（ステップＳ６；ＹＥＳ）、待機が続けられる。一方、ＶＢｕｓからの電力供給が検出されない場合には（ステップＳ６；ＮＯ）、切替手段２９及び切替手段３０がＯＮからＯＦＦに切り替えられ、オーディオ装置１の全構成部への電力供給が中止され（ステップＳ７）、電源制御処理が終了する。
【００４４】
ここで、上記実施の形態に基づく実施例を示す。
＜実施例１＞
ａ．条件
待機時（電源ＯＦＦ時）の消費電力０．３Ｗ、電源ＯＮ時（ＭＤ及びＣＤドライブは駆動せず）の消費電力９．０Ｗのオーディオ装置と、スタンバイ時にはＶＢｕｓを介してオーディオ装置に電力を出力しないパソコンを接続した例
ｂ．結果
オーディオ装置においてＶＢｕｓの電力を検出してからＳＯＦを検出するまでの所要時間は約３．０秒であった。従来のＶＢｕｓ検出と同時にオーディオ装置全体にＡＣアダプタから電力を供給する方法によると、上記３．０秒間の消費電力は、０．００７５Ｗ・ｈであった。一方、本発明の電力制御方法によると、上記３．０秒間の消費電力は、０．０００２５Ｗ・ｈであった。したがって、本発明を利用した結果、上記３．０秒間に０．００６２５Ｗ・ｈ（約９６．７％）の消費電力低減が実現された。
【００４５】
＜実施例２＞
ａ．条件
待機時（電源ＯＦＦ時）の消費電力０．３Ｗ、電源ＯＮ時（ＭＤ及びＣＤドライブは駆動せず）の消費電力９．０Ｗのオーディオ装置と、スタンバイ時にもＶＢｕｓを介してオーディオ装置に電力を出力するパソコンを接続した例
ｂ．結果
オーディオ装置においてＶＢｕｓの電力を検出してからＳＯＦを検出するまでの所要時間は約３．０秒であった。オーディオ機器の動作時間が１日４時間の場合、電源ＯＦＦされるべき時間は１日２０時間である。従来のＶＢｕｓ検出と同時にオーディオ装置全体にＡＣアダプタから電力を供給する方法によると、一日あたりの消費電力は、１８０Ｗ・ｈであった。一方、本発明の電力制御方法によると、１日あたりの消費電力は、６Ｗ・ｈであった。したがって、本発明を利用した結果、１日あたり１７４Ｗ・ｈ（約９６．７％）の消費電力低減が実現された。
【００４６】
以上説明したように、オーディオ装置１において、電源がＯＦＦに設定された状態において、ＶＢｕｓから供給された電力によってオーディオマイコン２１が起動される。次いで、切替手段２９がＯＦＦからＯＮに切り替えられ、ＡＣアダプタ２から供給される電力がＵＳＢバス１１及びＵＳＢ  Ｉ／Ｆ１３に入力され、これらの構成部が起動される。また、ＵＳＢ  Ｉ／Ｆ１３によりパソコン３から受信したデータからＳＯＦが検出された場合に、切替手段３０がＯＦＦからＯＮに切り替えられ、ＡＣアダプタ２から供給される電力がＵＳＢバス１１及びＵＳＢ  Ｉ／Ｆ１３以外の構成部に供給されて、オーディオ装置１全体に電力が供給される。そして、ＶＢｕｓからの電力供給が終了したことが検出されると、切替手段２９及び切替手段３０がＯＮからＯＦＦに切り替えられ、オーディオ装置１全体に供給されていた電力が遮断される。
【００４７】
したがって、パソコン３からオーディオ装置１に処理対象のデータが送信されていない場合に、ＡＣアダプタ２によるオーディオ装置１の各構成部に対する電力供給を遮断するため、このとき消費されるＡＣアダプタ２からの電力は微量の待機電力のみである。このため、ＡＣアダプタ２からの電力供給時間を最低限に抑え、オーディオ装置１における電力消費量を必要最低限に抑えることが可能である。特に、パソコン３がスタンバイ状態である場合にもＶＢｕｓからオーディオ装置１に対して常に電力供給を行う場合には、処理対象のデータがオーディオ装置１に送信されない限りＵＳＢバス１１及びＵＳＢ  Ｉ／Ｆ１３以外の構成部への電力供給を遮断するため、大幅な省電力化を実現可能である。
【００４８】
なお、本発明は、上記各実施の形態に限定されるものではない。例えば、上記の各実施の形態では、本発明に係る電子機器の一例としてオーディオ装置を例示して説明したが、電子機器の種別はこれに限定されない。本発明に係る電子機器は、ＵＳＢ規格のインターフェイスを備えた機器であればよく、例えば、パソコン等のコントロール機器に接続されるプリンタやモデム等の周辺機器を適用することができる。
【００４９】
この他、本発明を適用したオーディオシステム１００の細部構成、および詳細動作に関しても、本発明の趣旨を逸脱しない範囲で適宜変更可能である。
【００５０】
【発明の効果】
本発明によれば、電子機器における電力の浪費を防止して省電力化を実現する。
【図面の簡単な説明】
【図１】本発明の実施の形態に係るオーディオシステムの構成の一例を示すブロック図である。
【図２】ＵＳＢにより転送されるデータの構成を示す図である。
【図３】本発明の実施の形態に係る電源制御処理を示すフローチャートである。
【符号の説明】
１    オーディオ装置
２    ＡＣアダプタ
３    パソコン
１１  ＵＳＢハブ
１２  ＵＳＢ  Ｉ／Ｆ（ブリッジ）
１３  ＵＳＢ  Ｉ／Ｆ（コントロール）
１４  ＭＤ制御モジュール
１５  ＵＳＢオーディオ
１６  セレクタ
１７  アンプ
１８  スピーカ
１９  内部バス
２０  操作部
２１  オーディオマイコン
２２  表示部
２３  処理制御部
２４  マルチデコードＤＳＰ
２５  ＲＡＭ
２６  ＲＯＭ
２７  ドライブコントローラ
２８  ＣＤドライブユニット
２９，３０  切替手段
１００  オーディオシステム
Ｃ    ＵＳＢケーブル
Ｅ    電源ケーブル
【図１】
2004234334.tif 000003
【図２】
2004234334.tif 000004
【図３】
2004234334.tif 000005